(57)【要約】      （修正有）【課題】ハリス等の釣糸を接続することが容易であることに加え、接続した糸が使用中に切れやすいという心配を解消した、釣糸の接続具を提供する。【解決手段】釣糸の接続具１は、釣糸２と他の釣糸３との接続に使用する接続具であり、釣糸をつなぎ止めるため、軸材１１と添え軸材１３とが基端部を一体にして先端部を略同じ向きに延ばした二股形状に結合され、釣糸を通す糸通し環１２が軸材または添え軸材の先端部付近に設けられてなる釣糸接続部１０を、少なくとも一箇所に有する。【選択図】図２
0003223094.tif 000002
【実用新案登録請求の範囲】
【請求項１】
釣糸と釣り具との接続または釣糸と他の釣糸との接続に使用する接続具であって、
釣糸をつなぎ止めるため、少なくとも一箇所に、
軸材と添え軸材とが、基端部を一体にして先端部を略同じ向きに延ばした二股形状に結合されていて、釣糸を通す糸通し環がそれら軸材または添え軸材の先端部付近に設けられてなる釣糸接続部を有する
ことを特徴とする釣糸の接続具。
【請求項２】
上記の糸通し環が、釣糸を挟み付けないものであるとともに、一部に切れ目のある環状のものであることを特徴とする請求項１に記載した釣糸の接続具。
【請求項３】
上記の糸通し環における環状の部分の表面と、その糸通し環が設けられていない上記の軸材または添え軸材との間に、先端部に近いほど間隔が空いた先広がりの隙間があることを特徴とする請求項２に記載した釣糸の接続具。
【請求項４】
釣糸接続部における上記の軸材と添え軸材とが、基端部において接合された２本の線状材により形成されていることを特徴とする請求項１〜３のいずれかに記載した釣糸の接続具。
【請求項５】
釣糸と他の釣糸とを接続するために、上記の軸材または添え軸材の基端部に、
軸材と添え軸材とが、基端部を一体にして先端部を略同じ向きに延ばした二股形状に結合されていて、釣糸を通す糸通し環がそれら軸材または添え軸材の先端部付近に設けられてなる第２釣糸接続部を有する
ことを特徴とする請求項１〜４のいずれかに記載した釣糸の接続具。
【請求項６】
釣糸を通す糸通し環となる曲線状部分を一方の先端部に有するとともに直線状部分を他方の先端部に有する線状材が、２本、互いの上記各先端部の向きを逆にして長さの中央部付近でのみ接合されることにより、上記の釣糸接続部と第２釣糸接続部とが両端部に形成されていることを特徴とする請求項５に記載した釣糸の接続具。
【請求項７】
上記の軸材と添え軸材と糸通し環とを含む釣糸接続部が、一本の連続した線状材により形成されていて、それらの軸材と添え軸材との両者につながる基端部の位置に、上記釣糸接続部に接続する釣糸とは別の釣糸または釣り具を接続するための連結環部があることを特徴とする請求項１〜３のいずれかに記載した釣糸の接続具。
【請求項８】
ＰＥ製の釣糸とフロロカーボン製の釣糸との両者に接続されることを特徴とする請求項５または６に記載した釣糸の接続具。
【請求項９】
浮き回収用具と連結され、または同回収用具と一体にされていることを特徴とする請求項１〜８のいずれかに記載した釣糸の接続具。
【請求項１０】
上記の線状材が、金属材またはプラスチック材であることを特徴とする請求項１〜９のいずれかに記載した釣糸の接続具。
【考案の詳細な説明】
【技術分野】
【０００１】
本考案は、魚釣りにおいて使用する釣糸の接続具であって、釣糸同士を接続し、または釣糸と各種の釣り具（釣針やルアー等）とを接続することができる接続具に関するものである。
【背景技術】
【０００２】
釣糸同士、たとえば道糸や先糸とハリスとを接続するために使用する接続具として、下記特許文献１に「はりす止め」が記載されている。その接続具は、図９に示す形状を有していて、図示左方（はと目部５２）に先糸を接続するとともに、右方部分にハリスを接続するものである。
【０００３】
図９の接続具はつぎのようにして使用される。すなわち、針金が折り曲げられて形成された図示左方のはと目部５２に先糸６１を結び付ける一方、ハリス６２を、直線状の２片５１・５３の間に挟んだうえ、それら２片の外周に巻き付け、さらにそのハリス６２を、一方の片５１の先にある折曲げ部５４の隙間５５にはさんで通す。
そのようにして接続具にハリス６２をつなぐと、図示Ａのように張力がハリス６２に作用したとき、その力が２片５１・５３を強く圧接する自縛力となってハリス６２に摩擦力を作用させるとともに、隙間５５に挟まれたことによる摩擦力もハリスに作用するため、図示の接続具からハリスが離脱しない。つまり、先糸６１を結び付けた接続具に上記のようにしてハリス６２を巻き付け等するだけで、先糸６１とハリス６２とを容易に接続することができ、先糸６１とハリス６２とを糸結びする必要がなくなる。
【先行技術文献】
【特許文献】
【０００４】
【特許文献１】実開昭５２−２９８９１号公報
【考案の概要】
【考案が解決しようとする課題】
【０００５】
図９に示す接続具は、ハリス６２の接続を容易にするという利点はあるが、折曲げ部５４の隙間５５に挟まれた部分でハリス６２が切れてしまいやすいという心配がある。釣りに使用される間、隙間５５において挟まれた折曲げ部５４の内側にハリス６２の特定の箇所が接触し、前後に擦れる可能性もあるからである。また、図９の接続具では、図示左方のはと目部５２に他の釣糸（先糸や幹糸など）を結び付ける必要があり、その作業が煩瑣であることについて改善の余地がある。
【０００６】
本件出願の考案は、ハリス等の釣糸を接続することが容易であるという利点を有することに加え、接続した糸が使用中に切れやすいという上記の心配を解消した、釣糸の新しい接続具を提供するものである。釣糸と釣糸とを接続する場合の、他方の釣糸と接続具との接続を容易に行える接続具についても、併せて提供するものである。
【課題を解決するための手段】
【０００７】
考案による釣糸の接続具は、釣糸と釣り具との接続または釣糸と他の釣糸との接続に使用する接続具であって、釣糸をつなぎ止めるため、少なくとも一箇所に、軸材と添え軸材とが、基端部を一体にして先端部を略同じ向きに（平行かつ密接した状態に、またはそれに近い近接状態に）延ばした二股形状に結合されていて、釣糸を通す糸通し環がそれら軸材または添え軸材の先端部付近に設けられてなる釣糸接続部を有することを特徴とする。
図１〜図８に、考案による上記接続具の例を示している。図示の各接続具１・４・５・６・８・９は、それぞれ少なくとも一箇所に釣糸接続部１０・２０・３０または４０を有している。そしてたとえばその釣糸接続部１０は、軸材１１と添え軸材１３とが二股形状に結合されるとともに、軸材１１の先端部付近に糸通し環１２が設けられており、それ以外の釣糸接続部２０・３０・４０も同様の構成である。
なお、考案の接続具は、釣糸と釣り具との接続または釣糸同士の接続に使用するものであるから、上記の釣糸接続部以外の一箇所または複数箇所には、釣り具または他の釣糸との接続を可能にする別の接続部が設けられる。すなわち、釣糸接続部１０と同じ構成の他の接続部（たとえば図１に示す釣糸第２接続部２０や、さらには第３の接続部（図示省略））または異なる構成の接続部（図３・図４に例示する閉じた連結環部１５・３５など）が、上記接続部とは別に設けられる。
【０００８】
上記考案による接続具は、つぎのようにして使用される。すなわち、上記の釣糸接続部において略同じ向きに延びている軸材と添え軸材との間に釣糸の端部付近を差し入れ、それら軸材と添え軸材との外周にその釣糸を複数回巻き付けたうえ、さらにその釣糸を糸通し環の内側に通す（そのように釣糸を釣糸接続部に絡めた状態を図２および図３（ｃ）に例示する）。その一方、他の一箇所または複数箇所の接続部に、釣り具または他の釣糸を接続する。
上記のとおり釣糸を釣糸接続部に巻き付け等すると、第一に、釣糸が、軸材と添え軸材との間に先端付近が挟まれた状態でそれら両軸材に巻き付けられ、糸通し環にも通されることから、巻き付けられた部分が軸材と添え軸材との外周から外れない。また第二に、釣糸に張力（引張力）が作用したとき、その力が軸材と添え軸材とを強く縛って釣糸の先端部付近を両軸材がしっかりと挟み付けるため、張力を受けても釣糸が釣糸接続部から離脱することが防止される。
釣糸接続部に上記のとおり釣糸を巻き付け等することは容易に行うことができ、釣糸に結び目を設ける必要もない。そのため、薄暗い場所や時間帯であっても、また、視力の高くない釣人であっても、困難なく短時間内に釣糸の接続をすることが可能である。
釣糸に結び目があると、張力を受けたとき釣糸がその結び目で切れることが多いが、考案の接続具を用いるときは結び目を設ける必要がないため、張力によって釣糸の切れることが効果的に防止される。また、釣糸は、糸通し環の部分で接続具の一部に挟み付けられたり特定の箇所がその環と擦れ合ったりすることがないので、一部が弱くなって切れやすくなる、という心配もない。
【０００９】
考案による上記の接続具において、上記の糸通し環が、釣糸を挟み付けないものであるとともに、一部に切れ目のある環状のものであると好ましい。
図１〜図８に例示した接続具１・４・５・６・８・９においても、糸通し環１２・２２・３２・４２は釣糸を挟み付けないものであるうえ、一部に切れ目１２ａ・２２ａ・３２ａ・４２ａのある環状のものである。
糸通し環が釣糸を挟み付けないものであるなら、上述のとおりその箇所において釣糸が切れやすくなることが防止される。また、糸通し環の一部に切れ目があると、端部付近を釣糸接続部に巻き付けた後の釣糸を、その糸通し環に通すことが容易になる。
【００１０】
上記の接続具で、上記の糸通し環における環状の部分の表面（環状の部分の全域に接する平面）と、その糸通し環が設けられていない上記の軸材または添え軸材との間に、先端部に近いほど間隔が空いた先広がりの隙間があると、とくに好ましい。
たとえば図１の例において、軸材１１の先端部にある糸通し環１２における環状部分の表面Ｘ（軸材および添え軸材の長さ方向に対して０〜９０°(好ましくは０〜４５°)だけ傾斜している）と、糸通し環２が設けられていない側である添え軸材１３との間に、先端部に近いほど間隔が空いた先広がりの隙間Ｙがある。図３〜図５、図７・図８の例においても同様である。
上記接続具は全長が数十ｍｍ程度の小型の部品であるが、図１に示す隙間Ｙがあると、軸材と添え軸材との間への釣糸の差し入れは難しくない。すなわち、この隙間Ｙの内側に釣糸の端部付近を持ち込めば、あとは、糸通し環の表面Ｘか添え軸材１３の側面に添わせて釣糸をスライドさせることにより、軸材と添え軸材との間に容易に釣糸を差し入れることができる。
そうしたのち、軸材と添え軸材との間の適切な位置（釣糸を強く挟み付け得る位置）にまで釣糸を移動させたうえ、両軸材への釣糸の巻き付けおよび環への糸通しを行う。軸材と添え軸材との外周に釣糸を複数回巻き付けると、前述のとおり、その巻き付け力やその後の釣糸の張力に基づいて軸材と添え軸材とが締め付けられて釣糸を挟み付けるため、釣糸が釣糸接続部にしっかりと接続される。
【００１１】
釣糸接続部における上記の軸材と添え軸材とは、基端部において接合された２本の線状材によりそれぞれ形成されているとよい。図１・図３・図５・図７・図８に示す接続具１・４・６・８・９では、軸材１１と添え軸材１３とはそれぞれ別の線状材によって形成され、基端部において溶接やハンダ付けまたは接着剤等の手段で一体に接合されている。
軸材と添え軸材とがこのように別々の線状材によって形成されるなら、比較的複雑な形状の接続具であっても、困難なく製造することができる。
【００１２】
上記考案の接続具については、さらに、釣糸と他の釣糸とを接続するために、上記の軸材または添え軸材の基端部に、上記と同様の軸材と添え軸材とからなる第２釣糸接続部が連結されているのも好ましい。図１・図２・図８には、そのように２つの釣糸接続部を有するよう構成された接続具を例示している。
上記の釣糸接続部とともに第２釣糸接続部を有する接続具であれば、釣糸と他の釣糸との接続（すなわち釣糸同士の接続）を容易に行うことができる。また、双方いずれの釣糸にも結び目を設ける必要がなく、糸通し環で釣糸が弱くなることもないので、使用中に釣糸が切断される不都合が生じにくい。
【００１３】
上記のように釣糸接続部と第２釣糸接続部とを有する接続具に関しては、釣糸を通す糸通し環となる曲線状部分を一方の先端部に有していて直線状部分を他方の先端部に有する線状材が、２本、互いの上記各先端部の向きを逆にしてそれぞれの長さの中央部付近でのみ接合された状態で、上記の釣糸接続部と第２釣糸接続部とが（長さの）両端部に形成されている、といったものも好ましい。図８に例示したものはそのような構成の接続具である。
こうした接続具は、両端部に上記の曲線状部分と直線状部分とを有する同一形状・同一寸法の線状材（図８（ａ）に例示される左右の線状材Ｐ１・Ｐ２）を複数形成したうえ、その２本を、互いに上下向きを逆にして各中央部付近でハンダ付け等の手段で接合すれば製造できる。そのため、製造容易であり低コストで量産することができる。なお、上記の「中央部付近」は、接続具の完成後は、釣糸接続部と第２釣糸接続部の各基端部となる。
【００１４】
軸材と添え軸材と糸通し環とを含む釣糸接続部は、上述のように複数の線状材で形成されるのもよいがそれに限るものではない。すなわち、釣糸接続部が一本の連続した線状材により形成されていて、それらの軸材と添え軸材との両者につながる基端部の位置に、上記釣糸接続部に接続する釣糸とは別の釣糸または釣り具を接続するための連結環部（はと目部）がある、という構成も好ましい。
図４に例示する接続具５はそのような構成のもので、軸材３１と添え軸材３３と糸通し環３２とを含む釣糸接続部３０が、一本の連続した線状材により形成されている。そしてそれらの軸材３１と添え軸材３３との両者につながる基端部の位置に、別の釣糸や釣り具を接続するための連結環部３５がある。
このような接続具は、構造がシンプルであるうえ軸材や添え軸材を含む釣糸接続部が１箇所のみであるため、小さく製造することができる。接続具を小さくすることができると、釣糸をリールに巻き取るとき、釣竿に取り付けられた釣糸ガイドの内側にその接続具をスムーズに通すことが可能になる。
【００１５】
釣糸接続部とともに第２の釣糸接続部を有する上述の接続具は、どのような釣糸同士の接続にも使用することができ、たとえば、ナイロン糸とフロロカーボン製の糸との接続、ＰＥ製の糸とナイロン糸との接続、またはエステルライン糸とフロロカーボン製の糸との接続等に使用できる。
しかし、上記接続具が、ＰＥ製の釣糸（ＰＥライン）とフロロカーボン製の釣糸（リーダー）との接続のために使用されるのも有利である。すなわち、一方の釣糸接続部にＰＥラインを接続し、他方の第２釣糸接続部にフロロカーボン製の釣糸を接続する（釣糸接続部と第２釣糸接続部とが逆になってもよい）のである。
ＰＥラインは道糸として釣竿のリール等に接続され、その先（釣針寄りの部分）にフロロカーボン製の釣糸をリーダーとしてつないで使用されることが少なくない。ＰＥラインは結び目を作って他の釣糸とつなぐことが難しい糸であるが、考案の接続具を使用して上記のように接続すると、結び目を作ることなく簡単な操作で双方の釣糸を接続することができる。結び目を作らない場合は結び目で切断することがなくなるため、釣糸の強度が十分に発揮される。
【００１６】
釣糸接続部を有する上記の接続具は、浮き回収用具と連結され、または一体にされて（つまり浮き回収用具の一部となって）いるのも好ましい。
浮き回収用具は、釣用の浮きが糸から外れて水上を流れ始めたとき、その浮きに向けて投入したうえ、浮きを引っ掛けて回収するための用具である。回収のために傘の骨のような部材を有するものが多い。高価な浮きを使用する際には、釣り場に持参して身近に置いておくのが普通である。そして浮きが外れたときには、それが遠くまで流される前に急いで釣糸に接続して水上へ投入する。
そのような浮き回収用具において、釣糸との連結箇所に上記考案の接続具が連結されていたり、上記考案の接続具が浮き回収用具と一体化されていたりすると、浮きが流され始めたとき、急いでその回収用具に釣糸を接続するうえで有利である。回収用具に対し釣糸を結び付けて接続する必要がなく、上記の接続具に対し釣糸を差し込んで巻き付ける等の作業のみでその接続が可能であるため、浮きが遠くまで流されない短時間のうちに回収用具を投入できるからである。
【００１７】
考案による接続具は、一体の金属材またはプラスチック材により形成されていると好ましい。なお、一体成形によって、または、成形後に一体に接合されることによって一体にされているとよい。
釣糸接続部は、軸材と添え軸材との外周に巻き付けられた釣糸によって締め付けられるとき、両軸材で釣糸を挟み付けて保持することから、適度な強度とともに適度な弾性を有する必要がある。その点で、金属材（錆びにくいものが好ましい）またはプラスチック材によって接続具が構成されるのが好ましい。一体に形成されていれば、釣糸接続部と他の接続部とが分離されず、取り扱いも容易である。
【考案の効果】
【００１８】
考案の接続具によれば、釣糸の接続を、結び目を設けることなく簡単な巻き付け等の操作によって実施することができる。結び目を作らないので、釣糸の見えにくい状況においても容易に接続ができるほか、釣糸が切断されにくく釣糸の強度が十分に発揮される。接続具の一部に釣糸が挟み付けられたり擦れ合ったりすることがない点でも、釣糸が切断されくい。
また、接続部とともに第２接続部を有するよう構成された接続具であれば、釣糸同士の接続を容易に行うことができ、双方の釣糸が切断されにくいという利点がある。
【図面の簡単な説明】
【００１９】
【図１】考案の実施の一例である釣糸の接続具１を示す正面図（図１（ａ））および側面図（同（ｂ））である。
【図２】図１の接続具１に釣糸２・３を接続した状態を示す正面図である。
【図３】考案の他の一例として示す接続具４の正面図（図３（ａ））と側面図（同（ｂ））および釣糸を接続した状態の正面図（同（ｃ））である。
【図４】考案のさらに他の一例として示す接続具５の正面図（図４（ａ））、側面図（同（ｂ））および釣糸を接続した状態の側面図（同（ｃ））である。
【図５】考案のさらに他の一例として示す接続具６の側面図である。
【図６】上記の接続具１・６の使用状態を示す図であって、釣糸２の先に接続具１を介して釣糸３を接続し、さらにその先に接続具６を介してルアー７を接続した状態を示している。
【図７】考案のさらに他の一例として示す接続具８の正面図（図７（ａ））および側面図（同（ｂ））である。
【図８】考案のさらに他の一例として示す接続具９の正面図（図７（ａ））および側面図（同（ｂ））である。
【図９】従来の接続具と釣糸との接続状態を示す斜視図である。
【考案を実施するための形態】
【００２０】
図１および図２に、考案の一実施例として釣糸の接続具１を示す。図示の接続具１は、全体がステンレス鋼などの錆びにくい金属（または錆びにくくする表面処理をされた金属材）で形成された、長さが３〜５０ｍｍ程度の細長い物品である。この接続具１によれば、図２のように釣糸と釣糸とを、結び目を作ることなくつなぎ合わせることができる。
【００２１】
接続具１は図１（ａ）（ｂ）の形状を有するもので、つぎのとおり構成されている。すなわち、まず、接続具１の一端部（図示上部）に釣糸の接続部１０が設けられ、他方の端部（図示下部）に、同じ構成にされた釣糸の第２接続部２０が設けられている。
接続部（釣糸接続部）１０は、軸材１１と、その先端部に形成された糸通し環１２と、軸材１１の基端部１１ａに対してハンダ付けで接合された添え軸材１３とで構成されている。軸材１１と添え軸材１３とは、基端部１１ａから同じ向きの先端部へ向けて、密接状態で平行に、または僅かな隙間をはさんでＶ字状に、二股に延びている。糸通し環１２は釣糸を通すための部分で、軸材１１の先につながった部分を環状に曲げ加工することにより、釣糸を挟み付けない広さの挿通スペースと、一箇所の切れ目（切れ目を通される釣糸が傷付かない程度の隙間があるもの）１２ａを有する環に形成されている。
【００２２】
軸材１１と添え軸材１３との各先端部（図示上端部）は、ほぼ同じ位置まで延びているものの、添え軸材１３の軸端が、軸材１１と糸通し環１２との境界部よりも僅かに先（図示上方）へまで突出している。一方、軸材１１の先端部は、添え軸材１３の軸端よりもやや手前（図示下方）の位置で糸通し環１２につながっている。そして、糸通し環１２は、その環に沿った平面Ｘを３０°程度傾斜させ、先端側（図示上方）へ至るほど添え軸材１３から離れる姿勢にされている。軸材１１と添え軸材１３と糸通し環１２とがこのような幾何学的関係にあると、糸通し環１２の環状部分の表面Ｘと添え軸材１３の側面との間には、先端部ほど間隔が空いた先広がりの隙間Ｙができている。
糸通し環１２の表面Ｘと添え軸材１３との間にそのように隙間Ｙがあると、その隙間Ｙから軸材１１と添え軸材１３との間に釣糸を差し入れることが容易である。糸通し環１２の平面Ｘ（または添え軸材１３の側面）に添わせて釣糸を移動させると、その釣糸が自然に軸材１１と添え軸材１３との間へ案内されるからである。
【００２３】
釣糸の第２接続部（第２釣糸接続部）２０も、上述した接続部１０と同じ構成にされている。第２接続部２０においても、軸材２１と添え軸材２３とが、軸材２１の基端部２１ａから先（図示下方）へ延びる二股状につながっている。また、軸材２１の先（図示下方）に、切れ目２２ａのある糸通し環２２が設けられている。糸通し環２２の平面Ｘと添え軸材２３の先端部付近の側面との間に、先端部ほど間隔が空いた先広がりの隙間Ｙがあることも、接続部１０と同じである。
図１の例では、接続部１０の添え軸材１３と第２接続部２０の添え軸材２３とが、連続した１本の線状材である。添え軸材１３・２３であるその線状材に対し、図示上方に軸材１３が添えられて基端部がハンダ付けされ、図示下方に軸材２３が添えられてやはり基端部がハンダ付けされている。それにより、添え軸材１３・２３に対して軸材１１と軸材２１とがそれぞれ基端部において一体化され、接続部１０と第２接続部２０とが、接続具１の中央部分に関して図示上下に対称の形態になっている。
【００２４】
以上のとおり構成された接続具１を用いて図２のように釣糸同士（釣糸２と釣糸３）を接続する要領は、つぎのとおりである。すなわち、
1)  接続部１０において、まず、糸通し環１２と添え軸材１３との間の隙間Ｙに、釣糸２の端部付近を差し入れ、その釣糸２を、軸材１１と添え軸材１３との間の隙間が狭い基端部付近にまで移動し、両軸材１１・１３の間に挟む。
2)  軸材１１と添え軸材１３との外周に、図２のように釣糸２を複数回（５回〜１０回程度）巻き付ける。
3)  そのうえで、釣糸２を糸通し環１２の内側に通し、釣糸２を引っ張って釣糸２を接続部１０に密着させる。糸通し環１２は一部に切れ目１２ａ（図１（ｂ）参照）を有するため、その内側に釣糸２を通すことは難しくない。
【００２５】
4)  第２接続部２０において、上記1)〜3)と同様に釣糸３を操作する。すなわち、釣糸３を、隙間Ｙに差し入れて２本の軸材２１・２３の間に挟み、両軸材２１・２３の外側に複数回巻き付け、さらに糸通し環２２に通したうえ、引いて締める。
【００２６】
以上により、釣糸２・３は、接続部１０・２０に対する巻き付けを含む上記の簡単な操作のみによってそれぞれ接続具１に接続され、結び目を作ることなくつなぎ合わされる。釣糸２・３に張力が作用すると、その力が軸材１１・２１と添え軸材１３・２３とを強く縛って釣糸２・３を強く挟み付けるため、釣糸２・３は各接続部１０・２０から外れにくい。釣糸２・３に結び目を作る必要がないので、接続操作が簡単であるうえ、結び目で各釣糸が切れやすくなる心配もない。糸通し環１２・２２が釣糸２・３を挟み付けず、また多少でも傾斜していることから釣糸２・３との擦れ方が軽微であるため、糸通し環１２・２２のために釣糸２・３が切れやすくなる恐れもない。
【００２７】
考案の別の実施例である接続具４を、図３（ａ）〜（ｃ）に示す。この接続具４も、錆びにくい金属等で形成された長さ３０ｍｍ程度以下の物品である。
接続具４は、一端部（図示下部）に閉じた連結環部１５を有するとともに、他方の側（図示上部）に、図１の例におけるものと同じ接続部１０を有している。接続部１０は、図示のとおり軸材１１と、その先端に形成された糸通し環１２と、軸材１１の基端部とハンダ付け等で接合されていて先端部が軸材１１とほぼ同じ向きに延びた添え軸材１３とからなる。そしてその添え軸材１３の基端部に、連結環部１５が一体に形成されている。
【００２８】
この接続具４では、図３（ｃ）のように、連結環部１５に釣糸や釣り具（釣針やルアー等。図示省略）を接続する一方、接続部１０に、図１の例と同じく上記1)〜3)の要領で釣糸を接続することができる。連結環部１５に釣糸を接続する場合には、結びやすくて引張強度の高い釣糸を選んで接続するのがよい。結びにくい（または結び目で切れやすい）釣糸については、接続部１０を利用し、簡単な巻き付け等の操作のみによって接続具４に接続するとよい。それにより、釣糸等が適切に接続された仕掛を構成することができる。
【００２９】
図４（ａ）〜（ｃ）に、さらに別の実施例を示す。図４の接続具５は、図３の例とは違って１本の連続した線状材（ステンレス鋼など錆びにくい金属材など）をもとに、溶接やハンダ付け等をすることなく作製された、長さが１０ｍｍ前後の小型のものである。
図４（ａ）（ｂ）に示すとおり、この接続具５も、一端部（図示右側）に、軸材３１とその先端に形成された糸通し環３２と、軸材３１に接して平行に延びた添え軸材３３とからなる接続部（釣糸接続部）３０を有している。軸材３１と添え軸材３３の各先端部（図示右側）は、互いに接しあってほぼ同じ位置まで並んで延びていて、糸通し環３２の環状部分の表面と添え軸材３３の側面との間には、先端部ほど間隔が空いた先広がりの隙間Ｙがある。そのため、この接続部３０に対しても、釣糸を、両軸３１・３３の間に挟んだうえ両者に巻き付ける等の操作により容易に接続することができる。
一方、接続具５の図示左側の端部、すなわち上記の線状材を軸材３１と添え軸材３３との間で折り返すための曲げ加工を施した部分には、別の釣糸を接続するための連結環部（はと目部）３５を形成している。
【００３０】
連結環部３５に対しては釣糸や釣り具を一般的な形態で接続することができ、接続部３０に対しては、図３等の例における接続部１０と同様に釣糸を接続できることから、この接続具５は、図４（ｃ）の状態に各釣糸を接続することができる。すなわち、図４の接続具５は、図３に示した接続具４と同様の使用が可能である。しかし、この接続具５は、１本の線状材をもとに形成していて、素材を接合する必要がないため、低コストでコンパクトに製造されるという利点がある。
【００３１】
図５に、図３の例における連結環部１５に替えてヨリモドシ部１６を有する接続具６の例を示す。この接続具６も、錆びにくい金属等で形成された長さ１５ｍｍ前後の物品であり、一方の側（図示上部）に、図１・図３の例と同様の接続部１０を有している。この例でも、接続部１０は、結び目を作ることなく簡単に釣糸を接続できる部分であり、軸材１１と糸通し環１２と添え軸材１３とからなる前述の構成を有する。
【００３２】
接続具６は、接続部１０とは逆の側（図示下方）にヨリモドシ部１６を有している。ヨリモドシ部１６の回転部１７は、接続部１０における添え軸材１３の基端部の軸と連結環１８の軸とを回転自在に（つまり釣糸の撚りを戻せるように）連結した継手である。図示の例では、連結環１８は、ワイヤを曲げることによって形成されたもので一箇所に切れ目を有している。その切れ目を通して、ルアー等の釣具の連結環を連結しまたは解除する。
この接続具６においても、接続部１０に、結び目を作ることなく釣糸を接続できるが、ヨリモドシ部１６の連結環１７には、同時に他の釣糸や釣り具を回転自在に接続することができる。
【００３３】
図６に、図１・図２に示した接続具１と図５の接続具６とを用いて、ルアー釣りに適した仕掛を構成した例を示している。
図６において、釣糸２は、釣竿（図示省略）に取り付けたリール（図示省略）から延びる道糸であってＰＥラインを使用している。そしてその先の釣糸３は、図示のとおりルアー６に接続したリーダーであり、クッション性を有するフロロカーボン製の糸を使用している。なお、各釣糸の材質は上記に限るものではない。
【００３４】
双方の釣糸２・３を直接に結び付けることは糸の性質上きわめて難しいうえ、結び目において糸が切れやすくなることから、図６の例では、釣糸２・３間の接続を接続具１を介して行っている。すなわち、接続具１の接続部１０に釣糸２を巻き付け等することにより接続し、第２接続部２０に釣糸３を同様に巻き付け等して接続する。
【００３５】
そして釣糸３の先には、接続具６を介してルアー７を接続している。すなわち、釣糸３の先端部を接続具６の接続部１０に巻き付け等して接続し、その接続具６のヨリモドシ部１６の連結環１８（図５参照）に、ルアー７の環部を通して接続する。
図６に示す上記のような接続では、巻き付ける等の操作による釣糸２・３の接続が容易であるうえ、いずれにも結び目を作らないために引張力に対する強度が低下しない。釣糸２・３が接続具１・６の特定箇所と擦れあって弱くなるという心配もない。
【００３６】
釣糸の接続具について、別の実施例を図７に示す。図７（ａ）（ｂ）の接続具８は、図３に示した接続具４を一部改変したものである。図３の接続具４とは、つぎの点で共通する。つまり、軸材１１と、その先端に形成された糸通し環１２と、軸材１１に対して基端部同士がハンダ付け等で接合されていて先端部が軸材１１とほぼ同じ向きに延びた添え軸材１３とからなる接続部１０を図示上方の一端部に有するとともに、閉じた連結環部１５を他方の端部に有する点などで共通である。
その一方、図７の接続具８は、つぎの点で図３のものと相違する。すなわち、接続部１０における軸材１１と添え軸材１３とが、互いに先端部を同じ向きにして密接状態で平行に延びている点、および、連結環部１５が含まれる平面の向きが、糸通し環１２の平面と平行に近い（図３における連結環部１５の向きとは９０°異なる）点で、相違している。
【００３７】
また、図８にはさらに別の実施例を示す。図８（ａ）（ｂ）に示す接続具９は、図１・図２の例のように釣糸の接続部を２箇所に有するもので、１本の金属線等で形成した同一形状・同一寸法の２本の線状材部品Ｐ１・Ｐ２を接合することにより形成している。
同一形状・同一寸法の線状材部品Ｐ１・Ｐ２とは、先に図７に示した接続具８を構成する一部品（図７（ａ）中の左側の部品）であり、完成後に糸通し環１２となる曲線状部分と軸材１１となる直線状部分とを一体に有する（図示の例ではそれを多少長くしている）ものである。そのような線状材部品Ｐ１・Ｐ２を、直線状部分同士が平行に密接するとともに曲線状部分の向きが互いに逆になるように、また、一方の部品Ｐ１の曲線状部分と他方の部品Ｐ２の直線状部分との間に先広がりの隙間Ｙができるように重ね合わせ、そのうえで全長の中央付近で２本の部品Ｐ１・Ｐ２をハンダ付け等により接合する。
線状材部品Ｐ１・Ｐ２を以上のように重ね合わせて接合することにより、図８の接続具９が製作できる。同一形状・同一寸法の２部品を１箇所で接合するだけで完成するため、低コストで円滑に製作することができる。
【００３８】
完成したこの接続具９には、図示の上方および下部に、中心点（重心位置に相当）回りに点対称となるよう、接続部１０と第２接続部４０とがそれぞれ形成されている。接続部１０は、糸通し環１２を有する軸材１１とそれに密接して延びた添え軸材１３とを有し、また、糸通し環１２の表面と添え軸材１３の側面との間に先広がりの隙間Ｙを含むなど、図１等に示した例と同様のものである。第２接続部４０も、上記の接続部１０の各部と点対称の位置に、軸材４１・糸通し環４２・添え軸材４３等をそれぞれ有している。そのためこの接続具９も、図１の接続具１と同様に、釣糸と他の釣糸とを容易に、かつ好ましい状態に接続することを可能にする。
【００３９】
考案による各接続具は、図６に示した例以外にも有意義に使用され得ることは言うまでもない。たとえば、磯釣りの際の釣糸の接続として、道糸であるナイロン糸の先に、図１・図８に示すような接続具１（の接続部１０）を接続し、その接続具１の他方の側（第２接続部２０）にフロロカーボン製のハリスを接続する、といった使い方もできる。
また、接続具自体も、図１〜図８に示した例以外の構成が採用され得る。たとえば、糸通し環が、軸材ではなく添え軸材の側に設けられていても差し支えない。また、接続部と第２接続部とが、ヨリモドシのような継手を用いて回転自在または角度変位可能に連結されるのもよい。さらには、軸材と添え軸材と糸通し環とからなる接続部が、例示のように１〜２箇所のみではなく、３箇所またはそれ以上に設けられていても有意義な用途があると考えられる。
考案の接続具は、釣糸と浮き回収用具とを接続することにも適している。すなわち、図３や図４、図５・図７に例示する接続具４・５・６・８（の接続環部１５・３５・１８）等を浮き回収用具（図示省略）に事前に連結しておき（または接続具を浮き回収用具の一部分として構成しておき）、回収用具を使用するときその接続具の接続部に急いで釣糸を接続するのである。接続部に釣糸を接続することが容易であるため、浮きが流れたとき、短時間内に釣糸を接続して回収用具を投入でき、浮きを回収できる可能性が高くなる。
【産業上の利用可能性】
【００４０】
本考案は、魚釣りにおいて使用する釣糸の接続具であって、釣糸と釣り具との接続または釣糸と他の釣糸との接続に使用できるものである。結び目を設けることなく、簡単な巻き付け等の操作によって釣糸の接続を可能にする。接続のために糸の結び目を作らないので、釣糸が切断されにくく、釣糸の強度が十分に発揮される。
【符号の説明】
【００４１】
１・４・５・６・８・９  接続具
２・３  釣糸
１０・３０  接続部
１１・２１・３１・４１  軸材
１２・２２・３２・４２  糸通し環
１３・２３・３３・４３  添え軸材
１５・３５  連結環部
１６  ヨリモドシ部
２０・４０  第２接続部
【図１】
0003223094.tif 000003
【図２】
0003223094.tif 000004
【図３】
0003223094.tif 000005
【図４】
0003223094.tif 000006
【図５】
0003223094.tif 000007
【図６】
0003223094.tif 000008
【図７】
0003223094.tif 000009
【図８】
0003223094.tif 000010
【図９】
0003223094.tif 000011
【手続補正書】
【提出日】令和1年7月22日(2019.7.22)
【手続補正１】
【補正対象書類名】実用新案登録請求の範囲
【補正対象項目名】全文
【補正方法】変更
【補正の内容】
【実用新案登録請求の範囲】
【請求項１】
釣糸と釣り具との接続または釣糸と他の釣糸との接続に使用する接続具であって、
釣糸をつなぎ止めるため、少なくとも一箇所に、
軸材と添え軸材とが、基端部を一体にして先端部を略同じ向きに延ばした二股形状に結合されていて、釣糸を通す糸通し環がそれら軸材または添え軸材の先端部付近に設けられてなる釣糸接続部を有する
ことを特徴とする釣糸の接続具。
【請求項２】
上記の糸通し環が、釣糸を挟み付けないものであるとともに、一部に切れ目のある環状のものであることを特徴とする請求項１に記載した釣糸の接続具。
【請求項３】
上記の糸通し環における環状の部分の表面と、その糸通し環が設けられていない上記の軸材または添え軸材との間に、先端部に近いほど間隔が空いた先広がりの隙間があることを特徴とする請求項２に記載した釣糸の接続具。
【請求項４】
釣糸接続部における上記の軸材と添え軸材とが、基端部において接合された２本の線状材により形成されていることを特徴とする請求項１〜３のいずれかに記載した釣糸の接続具。
【請求項５】
釣糸と他の釣糸とを接続するために、上記の軸材または添え軸材の基端部に、
軸材と添え軸材とが、基端部を一体にして先端部を略同じ向きに延ばした二股形状に結合されていて、釣糸を通す糸通し環がそれら軸材または添え軸材の先端部付近に設けられてなる第２釣糸接続部を有する
ことを特徴とする請求項１〜４のいずれかに記載した釣糸の接続具。
【請求項６】
釣糸を通す糸通し環となる曲線状部分を一方の先端部に有するとともに直線状部分を他方の先端部に有する線状材が、２本、互いの上記各先端部の向きを逆にして長さの中央部付近でのみ接合されることにより、上記の釣糸接続部と第２釣糸接続部とが両端部に形成されていることを特徴とする請求項５に記載した釣糸の接続具。
【請求項７】
上記の軸材と添え軸材と糸通し環とを含む釣糸接続部が、一本の連続した線状材により形成されていて、それらの軸材と添え軸材との両者につながる基端部の位置に、上記釣糸接続部に接続する釣糸とは別の釣糸または釣り具を接続するための連結環部があることを特徴とする請求項１〜３のいずれかに記載した釣糸の接続具。
【請求項８】
ＰＥ製の釣糸とフロロカーボン製の釣糸との両者に接続されることを特徴とする請求項５または６に記載した釣糸の接続具。
【請求項９】
浮き回収用具と連結され、または同回収用具と一体にされていることを特徴とする請求項１〜８のいずれかに記載した釣糸の接続具。
【請求項１０】
上記の線状材が、金属材またはプラスチック材であることを特徴とする請求項４、６または７に記載した釣糸の接続具。